(57)【要約】【課題】第１の紐状体に対して第２の紐状体を所定幅で配置することが可能なストラップパーツおよびこのストラップパーツを用いたストラップの提供。【解決手段】一端面が開口され、この開口面の対面に貫通孔が形成されたキャップ内に収容されるストラップパーツであって、キャップ内に嵌合される枠部２０であり、第１の紐状体の結び目が収容される中空部２２と、当該枠部２０を貫通して第１の紐状体をキャップの貫通孔へ挿通させる貫通孔２３とを有する枠部２０と、第２の紐状体を保持するために枠部２０に連設された紐状体保持部２１であり、開口面と平行に形成された貫通孔２４と、この貫通孔２４の両端部の開口面側に形成された切欠部２５とを有する紐状体保持部２１とから構成される。【選択図】図３
2010046279.tif 000002
【特許請求の範囲】
【請求項１】
一端面が開口され、この開口面の対面に貫通孔が形成されたキャップ内に収容されるストラップパーツであって、
前記キャップ内に嵌合される枠部であり、第１の紐状体の結び目が収容される中空部と、当該枠部を貫通して前記第１の紐状体を前記キャップの貫通孔へ挿通させる貫通孔とを有する枠部と、
第２の紐状体を保持するために前記枠部に連設された紐状体保持部であり、前記開口面と平行に形成された貫通孔と、この貫通孔の両端部の前記開口面側に形成された切欠部とを有する紐状体保持部と
から構成されるストラップパーツ。
【請求項２】
一端面が開口され、この開口面の対面に貫通孔が形成されたキャップと、
このキャップ内に収容されるストラップパーツであって、
前記キャップ内に嵌合される枠部であり、第１の紐状体の結び目が収容される中空部と、当該枠部を貫通して前記第１の紐状体を前記キャップの貫通孔へ挿通させる貫通孔とを有する枠部と、
第２の紐状体を保持するために前記枠部に連設された紐状体保持部であり、前記開口面と平行に形成された貫通孔と、この貫通孔の両端部の前記開口面側に形成された切欠部とを有する紐状体保持部と
から構成されるストラップパーツと
を有するストラップ。
【発明の詳細な説明】
【技術分野】
【０００１】
本発明は、携帯電話、携帯音楽プレイヤ、カメラ、鞄や首などからアクセサリを吊り下げるためのストラップパーツおよびストラップに関する。
【背景技術】
【０００２】
携帯電話、携帯音楽プレイヤ、カメラ、鞄や首などからアクセサリを吊り下げるためにストラップが使用される。従来のストラップとして、例えば、特許文献１〜３に記載のものが知られている。これらのストラップはループ状にしたロープにアクセサリを吊り下げるものであり、ロープの途中には上下に移動可能な移動係留体を備えている。
【０００３】
【特許文献１】特開２００７−２４４８３９号公報
【特許文献２】特開２００７−２０８２２号公報
【特許文献３】特開２００６−５５６２７号公報
【発明の開示】
【発明が解決しようとする課題】
【０００４】
ところで、上記特許文献１〜３に記載のようなストラップでは、ループ状にしたロープに移動係留体が取り付けられているため、移動係留体を上下に移動させると移動係留体の上下でロープ間の距離が変化する。
【０００５】
本発明は、第１の紐状体に対して第２の紐状体を所定幅で配置することが可能なストラップパーツおよびこのストラップパーツを用いたストラップを提供することを目的とする。
【課題を解決するための手段】
【０００６】
本発明のストラップパーツは、一端面が開口され、この開口面の対面に貫通孔が形成されたキャップ内に収容されるストラップパーツであって、キャップ内に嵌合される枠部であり、第１の紐状体の結び目が収容される中空部と、当該枠部を貫通して第１の紐状体をキャップの貫通孔へ挿通させる貫通孔とを有する枠部と、第２の紐状体を保持するために枠部に連設された紐状体保持部であり、開口面と平行に形成された貫通孔と、この貫通孔の両端部の開口面側に形成された切欠部とを有する紐状体保持部とから構成されるものである。
【０００７】
本発明のストラップパーツによれば、第１の紐状体をループ状としてキャップの貫通孔および枠部の貫通孔へ挿通し、中空部内で結び目を形成して固定することができる。また、紐状体保持部の貫通孔へ第２の紐状体を挿通してキャップ内に嵌合させることで、紐状体保持部の第２の紐状体は、貫通孔の両端部の開口面側に形成された切欠部から所定間隔で平行に垂れ下がるようになる。なお、紐状体としては、紐、帯、ワイヤやボールチェーンなどを使用することができる。
【発明の効果】
【０００８】
本発明のストラップパーツによれば、ループ状とした第１の紐状体により携帯電話、携帯音楽プレイヤ、カメラ、鞄や首などへと取り付け、このストラップパーツから所定間隔で平行に垂れ下がる第２の紐状体にアクセサリを吊り下げることができる。
【発明を実施するための最良の形態】
【０００９】
図１は本発明の実施の形態におけるストラップを示す図であって、（ａ）は正面図、（ｂ）は断面図である。図１において、本発明の実施の形態におけるストラップは、それぞれストラップパーツとしてのキャップ１、保持体２、移動体３、キャップ４、紐５およびボールチェーン６により構成されている。保持体２はボールチェーン６を保持するものであり、ボールチェーン６を保持した状態でキャップ１内に収容される。
【００１０】
図２はキャップ１の詳細を示す図であって、（ａ）は平面図、（ｂ）は左側面図、（ｃ）は正面図、（ｄ）は断面図、（ｅ）は底面図である。図２に示すように、キャップ１は、直方体状の中空部１０を有し、一端面が開口されている（開口面１１）。また、この開口面１１の対面には貫通孔１２が形成されている。貫通孔１２は、紐５を通すための孔である。
【００１１】
図３は保持体２を示す図であって、（ａ）は平面図、（ｂ）は左側面図、（ｃ）は正面図、（ｄ）は底面図である。図３に示すように、保持体２は、キャップ１内に嵌合される枠部２０と、枠部２０に連設された紐状体保持部２１とから構成される。
【００１２】
枠部２０は、第１の紐状体である紐５の結び目５０（図１参照。）が収容される中空部２２と、枠部２０を貫通して紐５をキャップ１の貫通孔１２へ挿通させる貫通孔２３とを有する。紐状体保持部２１は、第２の紐状体であるボールチェーン６を保持する部分であり、キャップ１の開口面１１と平行に形成された貫通孔２４と、この貫通孔２４の両端部の開口面１１側に形成された切欠部２５とを有する。ボールチェーン６は貫通孔２４内に挿通され、図１に示すように逆Ｕ字状に下方へ垂らされる。
【００１３】
図４は移動体３を構成する本体を示す図であって、（ａ）は平面図、（ｂ）は左側面図、（ｃ）は正面図、（ｄ）は断面図、（ｅ）は底面図、図５は図４の本体に内蔵される移動規制部材の正面図である。移動体３は、図４に示す本体３０と、本体３０内に設けられる図５に示す移動規制部材３１とから構成される。
【００１４】
本体３０は、所定間隔で平行に形成された２つの貫通孔３２ａ，３２ｂと、これらの２つの貫通孔３２ａ，３２ｂを連通する連通部３３とを有する。２つの貫通孔３２ａ，３２ｂには、前述のように保持体２の貫通孔２４内に挿通され、逆Ｕ字状に下方へ垂らされたボールチェーン６がそれぞれ挿通される（図１参照。）。
【００１５】
なお、連通部３３は本体３０の正面または背面の少なくとも一方の面まで貫通させて形成されており、ボールチェーン６を貫通孔３２ａ，３２ｂ内に挿通した後、本体３０の正面または背面から連通部３３内に移動規制部材３１を装着することができるようになっている。また、連通部３３の中央には、移動規制部材３１の移動を規制するための突起３４が設けられている。
【００１６】
移動規制部材３１は、薄板ばね材料を図５に示す形状に曲折させて形成した弾性部材であり、本体３０の連通部３３に装着された際、連通部３３の内壁面および突起３４によって規制される規制部３１ａと、本体３０の貫通孔３２ａ，３２ｂ内へ突出して、図１に示すように貫通孔３２ａ，３２ｂに挿通されるそれぞれのボールチェーン６のボール６０間に配置される係合部３１ｂとを有する。
【００１７】
キャップ４は、前述のように保持体２の貫通孔２４内に挿通され、逆Ｕ字状に下方へ垂らされたボールチェーン６の下端部分に被せるものである。キャップ４は、キャップ１と同様、直方体状の中空部４０を有し、一端面が開口されている（開口面４１）。また、この開口面４１の対面には移動体３に形成された２つの貫通孔３２ａ，３２ｂと等間隔に２つの貫通孔４２ａ，４２ｂが形成されている。ボールチェーン６は、このキャップ４の２つの貫通孔３２ａ，３２ｂに挿通され、中空部４０内でコネクタ７によりその両端が連結されている。
【００１８】
上記構成のストラップは、まず、保持体２の貫通孔２４内にボールチェーン６を挿通し、逆Ｕ字状に下方へ垂らす。また、紐５の結び目５０を形成し、保持体２の中空部２２から貫通孔２３に挿通する。その後、紐５をキャップ１の開口面１１から中空部１０を通して貫通孔１２に挿通し、引っ張ると、保持体２がキャップ１の中空部１０に引き込まれ、図１（ｂ）に示すように保持体２がキャップ１内に嵌合される。
【００１９】
一方、ボールチェーン６は、移動体３の貫通孔３２ａ，３２ｂ内に挿通した後、キャップ４の貫通孔４２ａ，４２ｂに挿通する。そして、このボールチェーン６の両端をコネクタ７により連結し、キャップ４を下げてコネクタ７を中空部４０内に配置する。また、移動規制部材３１を本体３０の正面または背面から連通部３３内に装着し、この装着後、本体３０の正面または背面に化粧パネルを接着して、移動規制部材３１の脱落を防止する。
【００２０】
こうして完成したストラップでは、紐状体保持部２１のボールチェーン６は、貫通孔２４の両端部の開口面１１側に形成された切欠部２５から所定間隔で平行に垂れ下がる（図１参照。）。このストラップでは、ループ状とした紐５により携帯電話、携帯音楽プレイヤ、カメラ、鞄や首などへと取り付け、キャップ１内から所定間隔で平行に垂れ下がるボールチェーン６により見栄え良くアクセサリを吊り下げることができる。
【００２１】
また、このストラップの移動体３では、所定間隔で平行に形成された２つの貫通孔３２ａ，３２ｂに挿通されたボールチェーン６は、これらの２つの貫通孔３２ａ，３２ｂを連通する連通部３３に収容された移動規制部材３１により移動を規制されるが、この移動規制部材３１は弾性部材であるため、移動体３を貫通孔３２ａ，３２ｂの延伸方向に移動させると移動規制部材３１が弾性変形し、ボールチェーン６の表面に沿ってボール６０とボール６０との間を移動する。これにより、この移動体３は、小さな力で容易に移動することができる。
【００２２】
そして、移動体３の移動を止めた場合には、移動規制部材３１は元の状態へと復元して、図１（ｂ）に示すようにボールチェーン６のボール６０とボール６０との間に配置され、移動体３の移動を規制するので、移動体３はボールチェーン６に固定される。なお、移動規制部材３１は、別の形状とすることも可能であり、要するに、ボールチェーン９の移動を規制するものであれば良い。また、突起３４は省略することも可能である。
【００２３】
なお、本実施形態におけるストラップは移動体３を有しているが、移動体３を省略することも可能である。また、ボールチェーン６に代えて、紐、帯やワイヤなどの紐状体を使用することも可能である。
【産業上の利用可能性】
【００２４】
本発明は、携帯電話、携帯音楽プレイヤ、カメラ、鞄や首などからアクセサリを吊り下げるためのストラップパーツおよびストラップとして有用である。特に、本発明は、第１の紐状体に対して第２の紐状体を所定幅で配置することが可能な見栄えの良いストラップパーツおよびストラップとして好適である。
【図面の簡単な説明】
【００２５】
【図１】本発明の実施の形態におけるストラップを示す図であって、（ａ）は正面図、（ｂ）は断面図である。
【図２】キャップの詳細を示す図であって、（ａ）は平面図、（ｂ）は左側面図、（ｃ）は正面図、（ｄ）は断面図、（ｅ）は底面図である。
【図３】保持体を示す図であって、（ａ）は平面図、（ｂ）は左側面図、（ｃ）は正面図、（ｄ）は底面図である。
【図４】移動体を構成する本体を示す図であって、（ａ）は平面図、（ｂ）は左側面図、（ｃ）は正面図、（ｄ）は断面図、（ｅ）は底面図である。
【図５】図４の本体に内蔵される移動規制部材の正面図である。
【符号の説明】
【００２６】
１  キャップ
１０  中空部
１１  開口面
１２  貫通孔
２  保持体
２０  枠部
２１  紐状体保持部
２２  中空部
２３，２４  貫通孔
２５  切欠部
３  移動体
３０  本体
３１  移動規制部材
３１ａ  規制部
３１ｂ  係合部
３２ａ，３２ｂ  貫通孔
３３  連通部
３４  突起
４  キャップ
４０  中空部
４１  開口面
４２ａ，４２ｂ  貫通孔
５  紐
６，９  ボールチェーン
６０  ボール
【図１】
2010046279.tif 000003
【図２】
2010046279.tif 000004
【図３】
2010046279.tif 000005
【図４】
2010046279.tif 000006
【図５】
2010046279.tif 000007